(57)【要約】【課題】充填する除菌液の量を減らしてコスト削減を図るとともに、設置スペースに合わせて向きを自在に変えて設置することができるまな板除菌用袋を提供する。【解決手段】パルプを材料に用いて作られてまな板２を包む不織布製シート３と、このシート３で包まれた状態でまな板２を収納すべく合成樹脂材料からなる袋本体４とからなり、袋本体４の出し入れ用開口部１３を閉じて袋本体４の密封状態を保持するジッパー１４を備え、前記シート３で包まれたまな板２を袋本体４の中で除菌液に浸した状態を保持するようにした。【選択図】図５
2012125427.tif 000002
【特許請求の範囲】
【請求項１】
パルプ繊維を材料に用いて作られてまな板を包む不織布製のシートと、このシートで包まれた状態でまな板を収納すべく合成樹脂材料からなる袋本体とからなり、袋本体の出し入れ用開口部を閉じて袋本体の密封状態を保持する手段を備え、前記シートで包まれたまな板を袋本体の中で除菌液に浸した状態を保持するようにしたことを特徴とするまな板除菌用袋。
【請求項２】
シートはパルプ繊維１００％からなることを特徴とする請求項１記載のまな板除菌用袋。
【請求項３】
シートは合成繊維を含むことを特徴とする請求項１記載のまな板除菌用袋。
【請求項４】
シートは袋状に作られていることを特徴とする請求項３記載のまな板除菌用袋。
【請求項５】
シートは袋本体の内部にまな板を包むように装着されていることを特徴とする請求項３記載のまな板除菌用袋。
【発明の詳細な説明】
【技術分野】
【０００１】
本発明は、まな板を除菌するために除菌液に浸け置きすることができるまな板除菌用袋に関する。
【背景技術】
【０００２】
まな板で肉を切ったり魚をさばいたりしたあとで、まな板を洗剤で洗い流すだけでなく殺菌液に浸け置きしたい場合がある。このような場合に用いる浸け置き袋として、特許文献１に開示されているものが知られている。特許文献１の浸け置き袋では合成樹脂製の袋が使用され、この袋の中に汚れたまな板を収納するとともに除菌液が入れられて、まな板の除菌を行うようになっている。浸け置き袋が設置されたときに、閉じられた開口部が除菌液に浸からないようにするために、開口部は袋の上部に立ち上がった状態で設けられる。これによって開口部に除菌液の圧力が掛かって除菌液が外部に漏れ出すことを防止している。
【先行技術文献】
【特許文献】
【０００３】
【特許文献１】特開２００１−６３７３３
【発明の概要】
【発明が解決しようとする課題】
【０００４】
上記特許文献１に記載の浸け置き袋では、まな板全体を直接除菌液に触れさせるために浸け置きされるので多量の除菌液が必要になるという問題があった。
本発明の目的は、このような課題を解決するもので、充填する除菌液の量を減らしてコスト削減を図るとともに、設置スペースに合わせて自在に向きを変えて設置することができるまな板除菌用袋を提供することである。
【課題を解決するための手段】
【０００５】
本発明の請求項１に記載のまな板除菌用袋は、パルプ繊維を材料に用いて作られてまな板を包む不織布製のシートと、このシートで包まれた状態でまな板を収納すべく合成樹脂材料からなる袋本体とからなり、袋本体の出し入れ用開口部を閉じて袋本体の密封状態を保持する手段を備え、前記シートで包まれたまな板を袋本体の中で除菌液に浸した状態を保持するようにしたものである。請求項２に記載のまな板除菌用袋は、不織布製のシートがパルプ繊維１００％からなるものである。請求項３に記載のまな板除菌用袋は、不織布製のシートが合成繊維を含むものである。請求項４に記載のまな板除菌用袋は、不織布製のシートが袋状に作られているものである。請求項５に記載のまな板除菌用袋は、不織布製のシートが袋本体の内部にまな板を包むように装着されているものである。
【発明の効果】
【０００６】
以上のように本発明によれば、まな板は除菌液が浸透した不織布製のシートに包まれた状態で袋本体に収納され、袋本体の出し入れ用開口部は閉じられて袋本体の密封状態が保持されるので、充填する除菌液の量を減らしてコスト削減を図ることができるとともに、設置スペースに合わせて水平置き、縦置きなど自在に向きを変えて設置することができる。
【図面の簡単な説明】
【０００７】
【図１】本発明の第１の実施の形態のまな板除菌用袋の構成部品を示す斜視図である。
【図２】同不織布の繊維の拡大断面図である。
【図３】同不織布製シートにまな板を収納した状態を示す斜視図である。
【図４】同まな板を入れた不織布製シートを袋本体に収納した状態を示す斜視図である。
【図５】同まな板を入れた不織布製シートを収納した袋本体に除菌液を充填した後にジッパーを閉じた状態を示す斜視図である。
【図６】図５のＡ−Ａ断面図である。
【図７】本発明の第２の実施の形態において、袋本体を止め具を用いて閉じたまな板除菌用袋の斜視図である。
【図８】本発明の第３の実施の形態におけるまな板除菌用袋の斜視図である。
【図９】図８のＢ−Ｂ断面図である。
【発明を実施するための形態】
【０００８】
以下、本発明の第１の実施の形態について図１〜図６に基づいて説明する。まな板除菌用袋１は、まな板２を包む袋状の不織布製シート３と、不織布製シート３で包まれたまな板２を収納する袋本体４とを備える。本実施の形態では、不織布製シート３の材料としてパルプ繊維と合成繊維とを含んだ不織布繊維５が使用される。合成繊維は不織布全体の約８５重量％を占めており、残りがパルプ繊維である。
【０００９】
図２に示す不織布繊維５の断面図において、不織布繊維５は３層構造となっており、不織布繊維５の最内層６から中間層７、最外層８に向かって合成繊維が多く含まれており、不織布繊維５の最外層８から中間層７、最内層６に向かってパルプ繊維が多く含まれている。不織布製シート３の表側および裏側を形成する長方形状のシート９ａ，９ｂには合成繊維としてポリエチレンとポリプロピレンとを混合したものが含まれているので、３つの辺１０ａ，１０ｂ，１０ｃを各々ヒートシールして容易に袋状の不織布製シート３を形成することができる。本実施の形態では合成繊維としてポリエチレンとポリプロピレンとを混合したものが用いられるが、これに限定されるものではなくポリエチレンまたはポリプロピレンを単独で用いることもできる。
【００１０】
袋本体４は、表面および裏面を形成する長方形状の合成樹脂製シート１１ａ，１１ｂの最内層が例えばポリエチレンで形成されており、３つの辺１２ａ，１２ｂ，１２ｃが各々ヒートシールされている。袋本体４は、まな板２を収納した不織布製シート３が内部に収まる大きさとされ、袋本体４の開口部１３近傍には袋本体４の内部に充填した除菌液が外部に漏れ出ることを防止するためにジッパー１４が設けられる。
【００１１】
ここで、まな板除菌用袋１の使用手順について説明する。まな板２を袋状の不織布製シート３の内部に収納した後に、不織布製シート３の開口部を折り曲げて閉じる。不織布製シート３は、内部にまな板２が収納されたとき、まな板２の表面および裏面が不織布製シート３の内面に接する大きさとされることが好ましい。
【００１２】
次に、まな板２が収納された不織布製シート３を袋本体４の内部に収める。袋本体４は、まな板２が収納された不織布製シート３を容易に収めることができ取り出すことができる大きさとされ、まな板２が収納された不織布製シート３を袋本体４に収めた状態で、袋本体４の内部に除菌液が充填される。除菌液の量は、不織布製シート３全体に除菌液を浸み込ませることができる量であればよく、不織布製シート３全体が除菌液に浸かることを要しない。このとき充填すべき除菌液の量が分かるように、袋本体４に目印を付けておくと便利である。
【００１３】
袋本体４の下部に溜まった除菌液は不織布製シート３のパルプ繊維に染み込み、毛細管現象によって順次不織布製シート３全体のパルプ繊維に浸み込んでいく。パルプ繊維は不織布繊維５の中心部に近いほど多く含まれているので、除菌液は不織布繊維５の中心部寄りを多く通って上方に浸み込んでいくことになる。このようにして除菌液を不織布製シート３の全体に浸透させることができ、まな板２は除菌液が保持された不織布製シート３に覆われた状態で効果的に除菌される。
【００１４】
このように、まな板２は除菌液に直接浸されることなく、除菌液が保持された不織布製シート３に覆われて除菌されるので、除菌液の量を効果的に減らすことができるとともに、まな板除菌用袋１の向きを自由に選択して設置することができる。例えば、夕食の料理に使用したまな板２を、まな板除菌用袋１に収納して一晩除菌する場合に、通常まな板２を保管する場合と同様に、まな板除菌用袋１をまな板置き台などに立てた状態で設置することができ、あるいは壁に立て掛けたり水平状態で置くこともできる。このように、まな板除菌用袋１は、特別な設置スペースを必要とすることなく、通常まな板２を保管しているスペースに設置することができる。袋本体４を開閉するジッパー１４は、機密性が高いので、除菌液が外部に漏れることを確実に防止することができるとともに、繰り返し開閉することができるので、まな板除菌用袋１を繰り返し使用することができる。
【００１５】
本実施の形態では、まな板２を袋状の不織布製シート３に収納しているが、これに限定されるものではなく、まな板２を風呂敷状に形成した不織布で包むこともできる。この場合には不織布をまな板２の表面に容易に当接させることができ、除菌効果を高めることができる。不織布製のシートを風呂敷状とする場合には、不織布繊維５に合成繊維が含まれていなくてもよく、パルプ繊維１００％とすることもできる。このようにすると不織布製のシートに多量の除菌液を保持させることができる。
【００１６】
また、袋本体４の開口部１３の開閉をジッパー１４を用いて行っているが、これに限定されるものではなく、たとえば図７に示す第２の実施の形態のような袋本体４を外部から挟む止め具１５を用いることもできる。この場合にも除菌液が外部に漏れることを確実に防止することができるとともに、繰り返し使用することができる。さらに、袋本体４の開口部１３の内面に粘着剤を塗布して開口部１３を繰り返し開閉できるようにしても良い。また、不織布製シート３の開口部は折り曲げて閉じているが、これに限定されるものではなく、袋本体４の開口部１３と同様に止め具などを用いて開閉することもできる。
【００１７】
本実施の形態では、不織布製シート３の合成繊維としてポリエチレンとポリプロピレンとを混合したもの、またはポリエチレンあるいはポリプロピレンが単独で用いられ、シート９ａ，９ｂの３つの辺１０ａ，１０ｂ，１０ｃがヒートシールされるが、これに限定されるものではなく、超音波シールあるいは高周波シールされるものでもよい。超音波シールの場合には、合成繊維としてポリプロピレンあるいはポリエチレンテレフタレートが好適である。高周波シールの場合には、合成繊維としてポリ塩化ビニルあるいはポリ塩化ビニリデンが好適である。
【００１８】
本発明の第３の実施の形態について図８及び図９に基づいて説明する。第１の実施の形態の説明と重複する部分については同一の参照符を用いる。第１の実施の形態では、不織布製シート３と袋本体４とが各々別々に形成されているが、本実施の形態では袋本体４の表、裏の合成樹脂製シート１１ａ，１１ｂの各内面に重なるように不織布製のシート２１ａ，２１ｂを位置せしめ、不織布製のシート２１ａ，２１ｂと袋本体４とが一体的に形成されている。
【００１９】
不織布製のシート２１ａ，２１ｂとしてポリエチレンとポリプロピレンとを混合したもの、またはポリエチレンあるいはポリプロピレンを単独で含んだ不織布繊維５を用い、袋本体４を形成する合成樹脂製シート１１ａ，１１ｂの最内層をポリエチレンあるいはポリプロピレンで形成すると、合成樹脂製シート１１ａ，１１ｂの間に不織布製のシート２１ａ，２１ｂを挟み込んだ状態で押し出しラミネートまたはヒートシールすることができる。これによって図８，図９に示すように、袋本体４と不織布製のシート２１ａ，２１ｂとを一体化させることができる。このように除菌液を浸み込ませるシート２１ａ，２１ｂが袋本体４と一体的に形成されると、まな板２を直接袋本体４に収めることができ、まな板２を袋状の不織布製シートに収納する手間を省くことができる。
【００２０】
このように、まな板除菌用袋１は、パルプ繊維を材料に用いて作られてまな板２を包む不織布製シート３，２１ａ，２１ｂと、この不織布製シート３，２１ａ，２１ｂで包まれた状態でまな板２を収納すべく合成樹脂材料からなる袋本体４とからなり、袋本体４の出し入れ用開口部１３を閉じて袋本体４の密封状態を保持する手段であるジッパー１４や止め具１５などを備え、前記不織布製シート３，２１ａ，２１ｂで包まれたまな板２を袋本体４の中で除菌液に浸した状態を保持するようにしたので、まな板２は除菌液が浸透した不織布製シート３，２１ａ，２１ｂに包まれた状態で袋本体４に収納され、袋本体４の出し入れ用開口部１３は閉じられて袋本体４の密封状態が保持されるので、充填する除菌液の量を減らしてコスト削減を図るとともに、設置スペースに合わせて自在に向きを変えて設置することができる。
【符号の説明】
【００２１】
１    まな板除菌用袋
２    まな板
３    不織布製シート
４    袋本体
５    不織布繊維
６    最内層
７    中間層
８    最外層
９ａ，９ｂ，２１ａ，２１ｂ    シート
１０ａ，１０ｂ，１０ｃ，１２ａ，１２ｂ，１２ｃ    辺        
１１ａ，１１ｂ    合成樹脂製シート    
１３    開口部  
１４    ジッパー        
１５  止め具
【図１】
2012125427.tif 000003
【図２】
2012125427.tif 000004
【図３】
2012125427.tif 000005
【図４】
2012125427.tif 000006
【図５】
2012125427.tif 000007
【図６】
2012125427.tif 000008
【図７】
2012125427.tif 000009
【図８】
2012125427.tif 000010
【図９】
2012125427.tif 000011